(57)【特許請求の範囲】
【請求項１】
本体ケース（１）の一側上下に、きわぞり刃ユニット（７）を収容するきわぞり凹部（１０）と、スライドノブ（８・９）を収容するスライド凹部（１１）とが設けられており、
きわぞり刃ユニット（７）は、本体ケース（１）で起伏自在に軸支されるきわぞりケース（１５）と、きわぞりケース（１５）の内面に組み付けられた固定刃（１６）および可動刃（１７）とを有し、
きわぞりケース（１５）の上部外面に、部分球殻壁からなる紡錘形の毛屑誘導部（２３）がケース外面へ向って膨出形成されていることを特徴とする電気かみそり。
【請求項２】
きわぞりケース（１５）が、固定刃（１６）および可動刃（１７）を装着するための刃取付部（２２）と、刃取付部（２２）の上端に膨出形成した毛屑誘導部（２３）とを一体に備えたプラスチック成形品からなり、
毛屑誘導部（２３）の左右幅（Ｗ１）が、スライド凹部（１１）の左右幅（Ｗ２）より大きく設定され、上方から見た毛屑誘導部（２３）の外郭線が、スライドノブ（８・９）の外郭線よりケース外方へ突出している請求項１記載の電気かみそり。
【請求項３】
毛屑誘導部（２３）の内面に突設した連結片（２４）が、きわぞり凹部（１０）の内面上部に突設したブラケット（２５）に軸支されていて、きわぞり刃ユニット（７）が、きわぞり凹部（１０）に収まる不使用位置と、きわぞり凹部（１０）から横向きに突出する使用位置とに起伏自在に支持されており、
スライドノブ（８・９）が、モータ起動用のスイッチノブ（８）ときわぞり刃ユニット（７）を起伏操作する切換ノブ（９）とからなる請求項１記載の電気かみそり。
【請求項４】
きわぞり凹部（１０）の上縁に、毛屑誘導部（２３）の外形形状に合致する凹弧状の受壁（３０）が設けてある請求項１記載の電気かみそり。
【請求項５】
きわぞり刃ユニット（７）を使用位置へ跳ね上げ揺動した状態において、きわぞり凹部（１０）の上縁内方に、毛屑誘導部（２３）の周面を受け止める傾斜面壁（３３）が設けてある請求項１または４記載の電気かみそり。
【請求項６】
スライド凹部（１１）の左右幅と、刃取付部（２２）の左右幅とがほぼ一致しており、毛屑誘導部（２３）の両端が刃取付部（２２）の左右両側縁より左右外側方に突出している請求項２記載の電気かみそり。
【発明の詳細な説明】
【０００１】
【発明の属する技術分野】
この発明は、かみそり本体の一側上下に、きわぞり刃ユニットと、モータ起動用のスイッチノブや先のユニットを倒伏操作する切換ノブなどのスライドノブが配置してある電気かみそりに関する。
【０００２】
【従来の技術】
この種の電気かみそりは、例えば実公平６−１１０８号公報に公知である。そこでは、図９に示すようにかみそりヘッド４０の一側にきわぞり刃ユニット４１を配置し、その下方にモータ起動用のスイッチノブ４２と、きわぞり刃ユニット４１を起伏操作する切換ノブ４３とを備えている。符号４４は外刃、４５は内刃である。
【０００３】
【発明が解決しようとする課題】
きわぞり刃ユニット４１を不使用位置に収納した状態でひげそりを行う場合には、切断された毛屑の一部がかみそり本体の表面に沿って落下し、スイッチノブ４２および切換ノブ４３を収容するスライド凹部４６内へ入り込み、両ノブ４２・４３とスライド凹部４６との間の摺接面間に詰まることがある。場合によっては、毛屑がスライド凹部４６に通設した開口を介してケース内部へ侵入し、可動部品が動作不良に陥ったり、電気部品が導通不良に陥ることもある。
【０００４】
この発明の目的は、切断された毛屑がスライド凹部へ落下するのを極力避けられるようにし、毛屑の侵入に伴う可動部品の動作不良や電気部品の導通不良等を防止できる電気かみそりを提供することにある。この発明の目的は、きわぞりケースの上端外面に部分球殻壁からなる紡錘形の毛屑誘導部が膨出形成しておき、外刃から滑り落ちてきた毛屑を毛屑誘導部で迂回落下させることにより、毛屑がスライド凹部へ入り込むのを極力阻止できるようにした電気かみそりを提供することにある。
【０００５】
この発明の目的は、紡錘形の毛屑誘導部を利用して、その内面に軸支構造が設けてあり、従って毛屑誘導部以外の部分の厚み寸法を小さくして、その分だけきわぞり刃ユニットを収容するための凹部を小さくしコンパクト化できる電気かみそりを提供することにある。この発明の目的は、きわぞり時におけるきわぞりケースの横振れを阻止して、可動刃の振動ストロークを充分に確保でき、その分だけきわぞり刃の切断機能が向上し、同時にきわぞりケースの横振れに伴う騒音の発生を解消できる電気かみそりを提供することにある。
【０００６】
【課題を解決するための手段】
この発明の電気かみそりは、本体ケース１の一側上下に、きわぞり刃ユニット７を収容するきわぞり凹部１０と、スライドノブ８・９を収容するスライド凹部１１とが設けられている。きわぞり刃ユニット７は、本体ケース１で起伏自在に軸支されるきわぞりケース１５と、きわぞりケース１５の内面に組み付けられた固定刃１６および可動刃１７を有する。きわぞりケース１５の上部外面には、部分球殻壁からなる紡錘形の毛屑誘導部２３がケース外面へ向って膨出形成されている。
【０００７】
きわぞりケース１５は、固定刃１６および可動刃１７を装着するための刃取付部２２と、刃取付部２２の上端に膨出形成した毛屑誘導部２３とを一体に備えたプラスチック成形品からなる。毛屑誘導部２３の左右幅Ｗ１をスライド凹部１１の左右幅Ｗ２より大きく設定する。さらに、上方から見た毛屑誘導部２３の外郭線がスライドノブ８・９の外郭線よりケース外方へ突出している。
【０００８】
毛屑誘導部２３の内面に突設した連結片２４は、きわぞり凹部１０の内面上部に突設したブラケット２５に軸支する。これにより、きわぞり刃ユニット７は、これがきわぞり凹部１０に収まる不使用位置と、きわぞり凹部１０から横向きに突出する使用位置とに起伏自在に支持する。スライドノブ８・９は、モータ起動用のスイッチノブ８ときわぞり刃ユニット７を起伏操作する切換ノブ９とからなる。
【０００９】
きわぞり凹部１０の上縁には、毛屑誘導部２３の外形形状に合致する凹弧状の受壁３０を設ける。きわぞり刃ユニット７を使用位置へ跳ね上げ揺動した状態において、きわぞり凹部１０の上縁内方に、毛屑誘導部２３の周面を受け止める傾斜面壁３３を設ける。スライド凹部１１の左右幅と、刃取付部２２の左右幅とをほぼ一致させ、毛屑誘導部２３の両端を刃取付部２２の左右両側縁より左右外側方に突出させてある。
【００１０】
【作用および発明の効果】
きわぞりケース１５の上部外面に部分球殻壁からなる紡錘形の毛屑誘導部２３が膨出形成されているので、外刃３の側から滑り落ちてきた毛屑は、毛屑誘導部２３で受け止められた後、その表面に沿って左右いずれかへ落下案内される。従って、毛屑がきわぞり刃ユニット７の下方のスライド凹部１１へ向って落下するのを防止できる。毛屑は毛屑誘導部２３を乗り越えるようにして下方落下することもあり得る。しかし、毛屑誘導部２３が紡錘状に膨出形成してあるので、毛屑は毛屑誘導部２３の膨出寸法分だけケース外方を落下する。従って、毛屑誘導部２３を乗り越えた毛屑が、スライド凹部１１へ入り込むのをよく防止できる。
【００１１】
刃取付部２２と紡錘状の毛屑誘導部２３とを一体にプラスチック成形したきわぞりケース１５によれば、膨出形成された毛屑誘導部２３が補強体として作用するので、その分だけきわぞりケース１５の構造強度を増強できる。毛屑誘導部２３の左右幅Ｗ１をスライド凹部１１の左右幅Ｗ２より大きく設定してあると、毛屑誘導部２３に案内されてその両側端から落下する毛屑の落下飛跡をスライド凹部１１の外側方に位置させることができ、従って毛屑がスライド凹部１１へ入り込むのをさらに確実に防止できる。毛屑誘導部２３の外郭線をスライドノブ８・９の外郭線よりケース外方へ突出させるのも、毛屑誘導部２３を乗り越えて落下する毛屑の飛跡をスライドノブ８・９の外方に位置させて、毛屑がスライド凹部１１へ入り込むのを避けるためである。
【００１２】
毛屑誘導部２３の内部空間を利用して、その内面に連結片２４を設け、この連結片２４をきわぞり凹部１０に設けたブラケット２５で軸支する軸支構造によれば、きわぞりケース１５の刃取付部２２の固定刃１６および可動刃１７を含む全厚寸法を、従来のこの種のきわぞり刃ユニットに比べて小さくできる。従って、全厚寸法が小さくて済む分だけきわぞり凹部１０を浅く形成し、あるいはきわぞり刃ユニット７の本体ケース１からの突出寸法を小さくして、かみそりをコンパクト化することができる。スライド凹部１１にモータ起動用のスイッチノブ８と、きわぞり刃ユニット７を起伏操作する切換ノブ９とを隣接配置した電気かみそりによれば、ひげそり時にスイッチノブ８をオン操作することにより、スイッチノブ８がスライド凹部１１の上端側へ変位して、スライド凹部１１の上側開口面を覆うことができるので、毛屑がスライド凹部１１へ落ち込むのをよく防止できる。
【００１３】
スライド凹部１１の上縁に毛屑誘導部２３の外形形状に合致する凹弧状の受壁３０を設けた電気かみそりによれば、きわぞり刃ユニット７を使用する際に、毛屑誘導部２３を受壁３０で受け止めて、きわぞりケース１５が刃駆動用の振動力を受けて横振れするのを抑止できる。傾斜面壁３３で毛屑誘導部２３を受け止める場合には、きわぞりケース１５の横振れをさらに効果的に抑止できる。従って、固定刃１６と可動刃１７との交差ストロークの有効量を増強して、きわぞり刃の切断機能を向上できるうえ、きわぞりケース１５の横振れによる騒音の発生を解消できる。
【００１４】
毛屑誘導部２３の両端を刃取付部２２の左右両側縁より左右外側方に突出させるのは、先に述べたように毛屑誘導部２３の両側端から落下する毛屑がスライド凹部１１に直接落ち込むのを防ぐのに有効であるうえ、上下、左右方向の外力を両側の突出部で受け止めることができるので、例えば電気かみそりが床に落ちて衝撃力をうけるような場合であっても、外力がきわぞりケース１５の軸支構造部分に集中するのを避けて、軸支構造が確損するのを確実に防止できる。
【００１５】
【実施例】
図１ないし図８はこの発明に係る電気かみそりの実施例を示す。図２において電気かみそりは、本体ケース１の上部に内刃２および外刃３を含むヘッド部を有する。本体ケース１の内部には、モータ４、二次電池５、およびモータ４の回転動力を往復動に変換する内刃駆動用の振動子６などが設けてある。本体ケース１の前側面の上下に、きわぞり刃ユニット７と左右一対のスライドノブ８・９とが配置してある。
【００１６】
きわぞり刃ユニット７とスライドノブ８・９とは、それぞれ本体ケース１に設けたきわぞり凹部１０と、スライド凹部１１に収容される。図において符号１２は外刃３を支持する外刃ホルダーである。一対のスライドノブ８・９のうち、図２に向かって左側のスライドノブ８がモータ起動用のスイッチノブになっており、このノブを上方スライド操作するとモータ４を起動できる。
【００１７】
図４においてきわぞり刃ユニット７は、きわぞりケース１５と、その内面に固定される固定刃１６、および左右スライド可能に案内支持される可動刃１７と、可動刃１７を脱落不能に押圧保持する押え板１８などで構成する。可動刃１７には受動ピース１９が設けてあり、この受動ピース１９が振動子６の前面中央に設けた駆動片２０と係合することにより、可動刃１７を振動子６で往復駆動できる。
【００１８】
図６においてきわぞりケース１５は、固定刃１６および可動刃１７を装着するための四角形状の刃取付部２２と、刃取付部２２の上端に設けた毛屑誘導部２３とを一体に成形したプラスチック成形品からなる。毛屑誘導部２３は部分球殻壁からなる紡錘形の膨出壁からなり、その内面の中央寄りの左右２個所に連結片２４が突設してある。この連結片２４をきわぞり凹部１０内面に突設した一対のブラケット２５（図５参照）で軸支することにより、きわぞり刃ユニット７の全体が起伏自在に支持される。なお、連結片２４はブラケット２５の側に設けた軸２５ａで揺動自在に軸支してある。
【００１９】
必要に応じてきわぞり刃ユニット７を使用位置と不使用位置とに起伏するよう切り換えるために、スライドノブ（切換ノブ）９を設け、その動作を中継ピース２６を介してきわぞりケース１５に伝えている。図５および図６において中継ピース２６は、本体ケース１のケース内面に配置されて、先のスライドノブ９と４個の爪片９ａで同行スライド可能に係合連結してある。また、その腕部２７の上端の操作ピン２８を一方の連結片２４に連結している。従って、スライドノブ９を図２の状態から上方スライド操作すると、きわぞり刃ユニット７は軸２５ａを中心にして上方揺動し、全体がきわぞり凹部１０から横向きに突出する図５の使用位置へと切り換わる。この位置においてのみ、受動ピース１９が駆動片２０と係合する。
【００２０】
内刃２を作動させてひげそりを行うとき、切断された毛屑の一部は外刃ホルダー１２に沿って落下する。この毛屑がスライド凹部１１に入り込むのを防ぐために、きわぞりケース１５の上部に毛屑誘導部２３を設けている。毛屑誘導部２３の左右幅Ｗ１はスライド凹部１１およびきわぞり凹部１０の左右幅Ｗ２より大きく寸法設定し、その両端を刃取付部２２の両側縁より左右に突出させてある。さらに平面視における毛屑誘導部２３の外郭線は、図７に示すように一対のスライドノブ８・９の外郭線よりケース外側方へ突出している。
【００２１】
きわぞり刃ユニット７を使用するとき、振動子６で往復駆動される可動刃１７の振動を受けて、きわぞりケース１５が左右に横振れしようとする。この横振れを規制して、固定刃１６と可動刃１７の交差ストロークの有効量を増強するために、きわぞり凹部１０の上縁に凹弧状の受壁３０（図３参照）を設け、使用位置における毛屑誘導部２３の周面を受壁３０で受け止められるようにしている。さらに、図８に示すように、受壁３０の内面内方に毛屑誘導部２３の周面を面接触状態で受け止める傾斜面壁３３を設けている。
【００２２】
きわぞり刃ユニット７をきわぞり凹部１０に組み込んだ状態において、毛屑誘導部２３の両端は刃取付部２２の左右側縁より左右に突出して、この突出部分が先の受壁３０に連続するＶ字状の隅壁３１で受け止められている。このように、毛屑誘導部２３の両端を隅壁３１で支持すると、落下衝撃に伴ってきわぞりケース１５に作用する上下、左右方向の外力を隅壁３１に負担させることができる。従って、落下衝撃が連結片２４とブラケット２５との間の軸支構造部分に集中するのを避けて、その軸２５ａが外れたり、連結片２４やブラケット２５が破損するのをよく防止できる。
【００２３】
上記の実施例においては、スライド凹部１１にモータ起動用のスライドノブ８と、きわぞり刃ユニット７を起伏操作するスライドノブ９とを隣接配置したが、両ノブ８・９のいずれか一方のみがスライド凹部１１に配置されていてもよい。
【図面の簡単な説明】
【図１】斜視図である。
【図２】正面図である。
【図３】きわぞり刃ユニットとその周辺構造を示す正面図である。
【図４】不使用時のきわぞり刃ユニットの縦断側面図である。
【図５】使用時のきわぞり刃ユニットの縦断側面図である。
【図６】きわぞり刃ユニットの姿勢切り換え構造を示す説明図である。
【図７】電気かみそりの平面図である。
【図８】きわぞりケースの一部を破断した平面図である。
【図９】従来の電気かみそりを示す斜視図である。
【符号の説明】
１  本体ケース
７  きわぞり刃ユニット
８  スライドノブ
９  スライドノブ
１０  きわぞり凹部
１１  スライド凹部
１５  きわぞりケース
１６  固定刃
１７  可動刃
２２  刃取付部
２３  毛屑誘導部
【図１】
0004507136.tif 000002
【図２】
0004507136.tif 000003
【図３】
0004507136.tif 000004
【図４】
0004507136.tif 000005
【図５】
0004507136.tif 000006
【図６】
0004507136.tif 000007
【図７】
0004507136.tif 000008
【図８】
0004507136.tif 000009
【図９】
0004507136.tif 000010